(57)【要約】【課題】軸受を大型化することなく、簡素な構造で小鍔部側から内輪を引き抜くことができる円すいころ軸受を提供する。【解決手段】内周面に外輪軌道面１１ａを有する外輪１１と、外周面に内輪軌道面１２ａを有する内輪１２と、外輪軌道面１１ａと内輪軌道面１２ａとの間に転動可能に配設される複数の円すいころ１３と、複数の円すいころ１３を周方向に等間隔に保持する保持器１４と、を備え、内輪１２は、内輪軌道面１２ａの小径側端部に設けられる小鍔部１５と、内輪軌道面１２ａの大径側端部に設けられる大鍔部１６と、内輪軌道面１２ａと小鍔部１５との境界部分に設けられる逃げ溝１７と、を有し、小鍔部１５の鍔面１５ａ又は逃げ溝１７の軸方向外端面１７ａを、引き抜き治具２０が引っ掛かる角度θに設定する。【選択図】図１
2015129548.tif 000002
【特許請求の範囲】
【請求項１】
内周面に外輪軌道面を有する外輪と、外周面に内輪軌道面を有する内輪と、前記外輪軌道面と前記内輪軌道面との間に転動可能に配設される複数の円すいころと、前記複数の円すいころを周方向に等間隔に保持する保持器と、を備え、
前記内輪は、前記内輪軌道面の小径側端部に設けられる小鍔部と、前記内輪軌道面の大径側端部に設けられる大鍔部と、前記内輪軌道面と前記小鍔部との境界部分に設けられる逃げ溝と、を有する円すいころ軸受であって、
前記小鍔部の鍔面又は前記逃げ溝の軸方向外端面を、引き抜き治具が引っ掛かる角度に設定することを特徴とする円すいころ軸受。
【請求項２】
引き抜き治具が引っ掛かる角度に設定された前記小鍔部の鍔面又は前記逃げ溝の軸方向外端面を、前記内輪の全周又は一部に配置することを特徴とする請求項１に記載の円すいころ軸受。
【請求項３】
前記保持器の小径側円環部と前記小鍔部との間に治具を差し込むために、前記保持器を前記外輪の近傍に配置することを特徴とする請求項１又は２に記載の円すいころ軸受。
【請求項４】
前記保持器の小径側円環部と前記小鍔部との間に治具を差し込むために、前記保持器の小径側円環部の内周面の一部に凹部を設けることを特徴とする請求項１又は２に記載の円すいころ軸受。
【発明の詳細な説明】
【技術分野】
【０００１】
本発明は、円すいころ軸受に関する。
【背景技術】
【０００２】
円すいころ軸受は、予圧荷重又は隙間を調整するために内輪の軸方向位置を微調整する場合がある。しかしながら、予圧荷重に加えて軸嵌め合いによる応力がかかるので、現状の円すいころ軸受の形状では、位置・予圧調整や引き抜きが難しいという課題があり、対策として、容易且つ安価な引き抜き機構が求められている。
【０００３】
そして、従来の引き抜き機構としては、内輪の外周面に治具を引っ掛けるための溝が形成されるものが知られている（例えば、特許文献１参照）。
【先行技術文献】
【特許文献】
【０００４】
【特許文献１】特開２００９−００９５６８号公報
【発明の概要】
【発明が解決しようとする課題】
【０００５】
しかしながら、上記特許文献１に記載の引き抜き機構を円すいころ軸受に設ける場合、内輪の大鍔部側ならば、ある程度の軸方向厚みがあるので、溝を形成するのは比較的容易であるが、内輪大鍔部側を対向させる正面組み合わせの場合や周囲構造によっては、大鍔部側に治具を到達させることが困難なことがあり、小鍔部側からの引き抜きについても市場要望が見込まれる。また、上記特許文献１に記載の引き抜き機構では、内輪の外周面に溝を形成するため、軸受が主に軸方向に大型化する可能性があった。
【０００６】
本発明は、前述の事情に鑑みてなされたものであり、その目的は、軸受を大型化することなく、簡素な構造で小鍔部側から内輪を引き抜くことができる円すいころ軸受を提供することにある。
【課題を解決するための手段】
【０００７】
本発明の上記目的は、下記の構成により達成される。
（１）内周面に外輪軌道面を有する外輪と、外周面に内輪軌道面を有する内輪と、外輪軌道面と内輪軌道面との間に転動可能に配設される複数の円すいころと、複数の円すいころを周方向に等間隔に保持する保持器と、を備え、内輪は、内輪軌道面の小径側端部に設けられる小鍔部と、内輪軌道面の大径側端部に設けられる大鍔部と、内輪軌道面と小鍔部との境界部分に設けられる逃げ溝と、を有する円すいころ軸受であって、小鍔部の鍔面又は逃げ溝の軸方向外端面を、引き抜き治具が引っ掛かる角度に設定することを特徴とする円すいころ軸受。
（２）引き抜き治具が引っ掛かる角度に設定された小鍔部の鍔面又は逃げ溝の軸方向外端面を、内輪の全周又は一部に配置することを特徴とする（１）に記載の円すいころ軸受。
（３）保持器の小径側円環部と小鍔部との間に治具を差し込むために、保持器を外輪の近傍に配置することを特徴とする（１）又は（２）に記載の円すいころ軸受。
（４）保持器の小径側円環部と小鍔部との間に治具を差し込むために、保持器の小径側円環部の内周面の一部に凹部を設けることを特徴とする（１）又は（２）に記載の円すいころ軸受。
【発明の効果】
【０００８】
本発明の円すいころ軸受によれば、小鍔部の鍔面又は逃げ溝の軸方向外端面を、引き抜き治具が引っ掛かる角度に設定するため、軸受を大型化することなく、簡素な構造で小鍔部側から内輪を引き抜くことができる。
【図面の簡単な説明】
【０００９】
【図１】本発明に係る円すいころ軸受の第１実施形態を説明する断面図である。
【図２】図１に示す円すいころ軸受の保持器の小径側円環部と小鍔部との間に治具を差し込んだ状態を説明する断面図である。
【図３】第１実施形態の円すいころ軸受の第１変形例を説明する内輪の側面図である。
【図４】図３のＡ−Ａ線断面図である。
【図５】第１実施形態の円すいころ軸受の第２変形例を説明する断面図である。
【図６】図５に示す保持器を小径側円環部側から見た図である。
【図７】本発明に係る円すいころ軸受の第２実施形態を説明する断面図である。
【発明を実施するための形態】
【００１０】
以下、本発明に係る円すいころ軸受の各実施形態について、図面に基づいて詳細に説明する。
【００１１】
（第１実施形態）
まず、図１〜図６を参照して、本発明に係る円すいころ軸受の第１実施形態について説明する。
【００１２】
本実施形態の円すいころ軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動可能に配設される複数の円すいころ１３と、複数の円すいころ１３を周方向に等間隔に保持する保持器１４と、を備える。
【００１３】
内輪１２は、内輪軌道面１２ａの小径側端部に設けられる小鍔部１５と、内輪軌道面１２ａの大径側端部に設けられる大鍔部１６と、内輪軌道面１２ａと小鍔部１５との境界部分に設けられる逃げ溝１７と、を有する。
【００１４】
保持器１４は、合成樹脂の射出成形又は鉄板のプレス加工などで形成されており、大径側円環部１４ａと、大径側円環部１４ａと同軸配置される小径側円環部１４ｂと、大径側円環部１４ａと小径側円環部１４ｂとを連結すべく、周方向に略等間隔で複数配置される柱部１４ｃと、周方向に互いに隣り合う各柱部１４ｃ間に形成され、円すいころ１３を転動可能に保持するポケット部１４ｄと、を有する。
【００１５】
そして、本実施形態では、図１に示すように、小鍔部１５の鍔面１５ａが、引き抜き治具２０（図２参照）が引っ掛かる角度θに設定されており、より具体的には、鍔面１５ａの角度θが内輪１２の軸方向外端面に対して径方向に向けて０度以上開くように設定されている。このため、引き抜き治具２０が小鍔部１５の鍔面１５ａに係合することが可能となる。また、上記角度θに設定された鍔面１５ａは、全周に亘って設けられている、そして、引き抜き治具２０による内輪１２の引き抜き量により予圧の微調整を行うことができる。また、逃げ溝１７は、引き抜き治具２０の先端部が入り込むように、通常の逃げ溝１７（図３参照）より軸方向外側に広げた引っ掛け溝３０として形成されている。
【００１６】
また、本実施形態では、図２に示すように、保持器１４の小径側円環部１４ｂと小鍔部１５との間に引き抜き治具２０を差し込むために、保持器１４が径方向において外輪１１の近傍に配置され、より具体的には、円すいころ１３の中心軸線Ｃより径方向外側に配置されている。従って、引き抜き治具２０を保持器１４の小径側円環部１４ｂと小鍔部１５との間に容易に差し込むことが可能となる。なお、引き抜き治具２０としては、市販されているギヤプーラーなどを挙げることができる。
【００１７】
以上説明したように、本実施形態の円すいころ軸受１０によれば、小鍔部１５の鍔面１５ａを、引き抜き治具２０が引っ掛かる角度θに設定するため、軸受１０を大型化することなく、簡素な構造で小鍔部１５側から内輪１２を引き抜くことができる。また、既存の小鍔部１５を利用するため、内輪１２の大幅な設計変更及び製造工程変更を抑えて、製造コストの増加を抑制することができる。
【００１８】
本実施形態の円すいころ軸受１０によれば、保持器１４が外輪１１の近傍に配置されるため、保持器１４の小径側円環部１４ｂと小鍔部１５との間に引き抜き治具２０を容易に差し込むことができる。
【００１９】
なお、本実施形態の第１変形例として、図３及び図４に示すように、引っ掛け溝３０及び上記角度θに設定された鍔面１５ａは、全周ではなく、周方向に略等間隔に２ヶ所設けられていてもよい。本変形例によれば、従来の逃げ溝１７を有する内輪１２に追加工するのみで実施することができるので、製造コストの増加を更に抑制することができる。なお、設置数は２ヶ所以上であればよく、特に限定はない。
【００２０】
また、円すいころ軸受１０は、多数の円すいころ１３を有するため、円すいころ１３の周方向間隔が狭い場合が多く、さらに、小鍔部１５と円すいころ１３の小径側端部が狭い場合もあるため、引き抜き治具２０を小鍔部１５に引っ掛けるスペースが確保できない状況も考えられるが、本変形例を用いることによって、引き抜き治具２０を小鍔部１５に引っ掛けるスペースを十分に確保することができると共に、内輪１２、円すいころ１３、及び保持器１４が分解しないよう組み付け後一体化するための形状設計への影響を最小限にすることができる。
【００２１】
また、本実施形態の第２変形例として、図５及び図６に示すように、保持器１４は、従来の保持器と径方向の配置位置が同一で、保持器１４の小径側円環部１４ｂと小鍔部１５との間に引き抜き治具２０を差し込むために、保持器１４の小径側円環部１４ｂの内周面に、凹部１８が周方向に略等間隔に４ヶ所設けられていてもよい。この場合、凹部１８から引き抜き治具２０を差し込んで、引き抜き治具２０を小鍔部１５に引っ掛けることが可能となる。本変形例によれば、従来の保持器１４に追加工するのみで実施することができるので、製造コストの増加を更に抑制することができる。また、本変形例は、保持器の設計変更が困難な場合などに採用するとよい。なお、凹部１８の設置数は、４ヶ所に限定されず、特に限定はない。
【００２２】
（第２実施形態）
次に、図７を参照して、本発明に係る円すいころ軸受の第２実施形態について説明する。なお、第１実施形態と同一又は同等部分については、図面に同一或いは同等符号を付してその説明を省略或いは簡略化する。
【００２３】
本実施形態では、図７に示すように、小鍔部１５の鍔面１５ａを従来と同様の形状としつつ、逃げ溝１７の軸方向外端面１７ａが、上記第１実施形態の鍔面１５ａと同様に、引き抜き治具２０が引っ掛かる角度θに設定されている。
【００２４】
本実施形態の円すいころ軸受１０によれば、逃げ溝１７の軸方向外端面１７ａを、引き抜き治具２０が引っ掛かる角度θに設定するため、軸受１０を大型化することなく、簡素な構造で小鍔部１５側から内輪１２を引き抜くことができる。また、既存の小鍔部１５を利用するため、内輪１２の大幅な設計変更及び製造工程変更を抑えて、製造コストの増加を抑制することができる。
その他の構成及び作用効果については、上記第１実施形態と同様である。
【００２５】
なお、本発明は、上記各実施形態に例示したものに限定されるものではなく、本発明の要旨を逸脱しない範囲において適宜変更可能である。
【符号の説明】
【００２６】
１０    円すいころ軸受
１１    外輪
１１ａ  外輪軌道面
１２    内輪
１２ａ  内輪軌道面
１３    円すいころ
１４    保持器
１４ａ  大径側円環部
１４ｂ  小径側円環部
１５    小鍔部
１５ａ  鍔面
１６    大鍔部
１７    逃げ溝
１７ａ  軸方向外端面
１８    凹部
２０    引き抜き治具
θ    鍔面の角度、逃げ溝の軸方向外端面の角度
【図１】
2015129548.tif 000003
【図２】
2015129548.tif 000004
【図３】
2015129548.tif 000005
【図４】
2015129548.tif 000006
【図５】
2015129548.tif 000007
【図６】
2015129548.tif 000008
【図７】
2015129548.tif 000009